【手続補正書】
【提出日】平成16年2月25日(2004.2.25)
【手続補正１】
【補正対象書類名】明細書
【補正対象項目名】特許請求の範囲
【補正方法】変更
【補正の内容】
【特許請求の範囲】
【請求項１】
電力を貯蔵して必要場所へ供給する移動型電力貯蔵用二次電池システムであって、少なくとも電力貯蔵用二次電池を自動車に搭載した移動型電力貯蔵用二次電池と、電力消費者から使用日時や使用場所などの情報、又は／及び、使用する負荷の消費電力や使用時間などの使用電力量に関する情報を入手するための通信手段と、前記情報から求まる前記負荷の使用電力量及び前記移動型電力貯蔵用二次電池の充電可能場所に関する情報を基に、使用する前記電力貯蔵用二次電池又は／及び前記電力貯蔵用二次電池に接続される変換装置や制御装置の選定、前記移動型電力貯蔵用二次電池の充電場所の選定、又は、前記移動型電力貯蔵用二次電池に設置される分散型発電装置の選定を行う演算処理装置とを設けたことを特徴とする移動型電力貯蔵用二次電池システム。
【請求項２】
電力を貯蔵して必要場所へ供給する移動型電力貯蔵用二次電池システムであって、少なくとも電力貯蔵用二次電池を自動車に搭載した移動型電力貯蔵用二次電池と、電力消費者から使用日時や使用場所などの情報、又は／及び、使用する負荷の消費電力や使用時間などの使用電力量に関する情報を入手するための通信手段と、前記使用場所への前記移動型電力貯蔵用二次電池の移動費用、充電場所への前記移動型電力貯蔵用二次電池の移動費用又は／及び充電費用、又は、前記移動型電力貯蔵用二次電池に設置した分散型発電装置の発電費用を基に、前記移動型電力貯蔵用二次電池の利用費用や利用料金又は／及び利用効果の算出を行う演算処理装置とを設けたことを特徴とする移動型電力貯蔵用二次電池システム。
【請求項３】
請求項２において、前記移動型電力貯蔵用二次電池の運転・保守・管理に必要な費用や維持・補修費用、又は／及び、前記移動型電力貯蔵用二次電池の設備費用と利用期間又は設備償却費用を加えて、前記移動型電力貯蔵用二次電池の利用費用や利用料金の算出を行うことを特徴とする移動型電力貯蔵用二次電池システム。
【請求項４】
請求項１又は２において、前記移動型電力貯蔵用二次電池に遠隔監視手段である特性測定装置及び通信手段を設け、又は/及び前記移動型電力貯蔵用二次電池を非常用電源及び電圧・周波数安定化電源として使用することを特徴とする移動型電力貯蔵用二次電池システム。
【請求項５】
電力を貯蔵して必要場所へ供給する移動型電力貯蔵用二次電池システムの利用方法であって、前記移動型電力貯蔵用二次電池システムが少なくとも電力貯蔵用二次電池を自動車に搭載した移動型電力貯蔵用二次電池を含めて構成されており、
電力消費者から使用日時、使用場所と共に、使用する負荷の消費電力や使用時間などの使用電力量に関する情報を入手すること、前記情報から求まる前記負荷の使用電力量及び前記移動型電力貯蔵用二次電池の充電可能場所に関する情報を基に、使用する前記移動型電力貯蔵用二次電池に設置される前記電力貯蔵用二次電池又は／及び前記電力貯蔵用二次電池に接続される変換装置や制御装置を選定すること、前記移動型電力貯蔵用二次電池の充電場所を選定すること、又は、前記移動型電力貯蔵用二次電池に設置される分散型発電装置を選定することを特徴とする移動型電力貯蔵用二次電池システムの利用方法。
【請求項６】
電力を貯蔵して必要場所へ供給する移動型電力貯蔵用二次電池システムの利用方法であって、前記移動型電力貯蔵用二次電池システムが少なくとも電力貯蔵用二次電池を自動車に搭載した移動型電力貯蔵用二次電池を含めて構成されており、電力消費者から使用日時、使用場所と共に、使用する負荷の消費電力や使用時間などの使用電力量に関する情報を入手すること、及び、前記使用場所への前記移動型電力貯蔵用二次電池の移動費用、充電場所への前記移動型電力貯蔵用二次電池の移動費用又は／及び充電費用、又は、前記移動型電力貯蔵用二次電池に設置した分散型発電装置の発電費用を元に、前記移動型電力貯蔵用二次電池の利用費用や利用料金又は／及び利用効果を求めることを特徴とする移動型電力貯蔵用二次電池システムの利用方法。
【請求項７】
請求項５で選定された前記移動型電力貯蔵用二次電池に関する情報、及び請求項６で求められた前記利用費用や利用料金又は／及び利用効果に関する情報を前記電力消費者へ送付して、移動型電力貯蔵用二次電池の利用を提案することを特徴とする移動型電力貯蔵用二次電池システムの利用方法。
【請求項８】
電力を貯蔵して必要場所へ供給する移動型電力貯蔵用二次電池システムの利用方法であって、前記移動型電力貯蔵用二次電池システムが少なくとも電力貯蔵用二次電池を自動車に搭載した移動型電力貯蔵用二次電池を含めて構成されており、
通信手段を介して電力消費者から使用条件に関する情報を入手し、前記使用条件に関する情報を基に、前記電力貯蔵用二次電池の使用形態を決定すると共に、前記移動型電力貯蔵用二次電池の利用費用や利用料金又は／及び利用効果の算出を行い、前記使用形態や利用費用、利用料金又は／及び利用効果に関する情報を通信手段を介して前記電力消費者へ送付して、レンタルビジネスを行うことを特徴とする移動型電力貯蔵用二次電池システムの利用方法。
【請求項９】
電力を貯蔵して必要場所へ供給する移動型電力貯蔵用二次電池システムの利用方法であって、前記移動型電力貯蔵用二次電池システムが少なくとも電力貯蔵用二次電池を自動車に搭載した移動型電力貯蔵用二次電池を含めて構成されており、
通信手段を介して電力消費者から使用条件に関する情報を入手し、前記使用条件に関する情報を基に、前記電力貯蔵用二次電池の使用形態を決定すると共に、前記移動型電力貯蔵用二次電池の利用費用や利用料金又は／及び利用効果の算出を行い、該算出結果に基づいて、前記電力消費者へ通信手段を介して前記移動型電力貯蔵用二次電池の利用料金を提示又は／及び請求することを特徴とする移動型電力貯蔵用二次電池システムの利用方法。
【手続補正２】
【補正対象書類名】明細書
【補正対象項目名】０００６
【補正方法】変更
【補正の内容】
【０００６】
また、本発明の第二の移動型電力貯蔵用二次電池システムは、電力を貯蔵して必要場所へ供給する移動型電力貯蔵用二次電池システムであって、少なくとも電力貯蔵用二次電池を自動車に搭載した移動型電力貯蔵用二次電池と、電力消費者から使用日時や使用場所などの情報、又は／及び、使用する負荷の消費電力や使用時間などの使用電力量の使用条件に関する情報を入手するための通信手段と、前記使用条件に関する情報を基に前記電力貯蔵用二次電池の使用形態を決定し、該使用形態における前記電力貯蔵用二次電池に接続される変換装置や制御装置の選定又は／及び充電方法の選定を行う演算処理装置、又は、前記使用場所への前記移動型電力貯蔵用二次電池の移動費用、充電場所への前記移動型電力貯蔵用二次電池の移動費用又は／及び充電費用、又は、前記移動型電力貯蔵用二次電池に設置した分散型発電装置の発電費用を基に、前記移動型電力貯蔵用二次電池の利用費用や利用料金又は／及び利用効果の算出を行う演算処理装置とを有することが好ましい。


【手続補正３】
【補正対象書類名】明細書
【補正対象項目名】０００９
【補正方法】変更
【補正の内容】
【０００９】
一方、本発明の第一の移動型電力貯蔵用二次電池システムの利用方法は、電力を貯蔵して必要場所へ供給する移動型電力貯蔵用二次電池システムの利用方法であって、前記移動型電力貯蔵用二次電池システムが少なくとも電力貯蔵用二次電池を自動車に搭載した移動型電力貯蔵用二次電池を含めて構成されており、通信手段を介して電力消費者から使用条件に関する情報を入手し、前記使用条件に関する情報を基に前記電力貯蔵用二次電池の使用形態を決定し、該使用形態における前記電力貯蔵用二次電池に接続される変換装置や制御装置の選定又は／及び充電方法の選定を行うことが好ましく、又、電力消費者から使用日時、使用場所と共に、使用する負荷の消費電力や使用時間などの使用電力量に関する情報を入手すること、前記情報から求まる前記負荷の使用電力量及び前記移動型電力貯蔵用二次電池の充電可能場所に関する情報を基に、使用する移動型電力貯蔵用二次電池に設置される前記電力貯蔵用二次電池又は／及び前記電力貯蔵用二次電池に接続される変換装置や制御装置を選定すること、前記移動型電力貯蔵用二次電池の充電場所を選定すること、又は、前記移動型電力貯蔵用二次電池に設置される分散型発電装置を選定することが好ましい。


【手続補正４】
【補正対象書類名】明細書
【補正対象項目名】００１１
【補正方法】変更
【補正の内容】
【００１１】
本発明は、電力を貯蔵して必要場所へ供給する移動型電力貯蔵用二次電池システムの利用方法であって、前記移動型電力貯蔵用二次電池システムが少なくとも電力貯蔵用二次電池を自動車に搭載した移動型電力貯蔵用二次電池を含めて構成されており、通信手段を介して電力消費者から使用条件に関する情報を入手し、前記使用条件に関する情報を基に、前記移動型電力貯蔵用二次電池の利用費用や利用料金又は／及び利用効果の算出を行うことが好ましい。
ここで、前記移動型電力貯蔵用二次電池の運転・保守・管理に必要な費用や維持・補修費用、又は／及び、前記移動型電力貯蔵用二次電池の設備費用と利用期間又は設備償却費用を加えて、前記移動型電力貯蔵用二次電池の利用費用や利用料金を求めることが望ましい。